(57)【要約】      （修正有）【課題】入側口金からのガス流入経路において、圧損を可及的に低減するために遮断弁取付用穴の内径を拡大した膜式ガスメータを提供する。【解決手段】ガスの入側の流入経路とこの流入経路内に緊急時に作動するガスの遮断弁において、ガスの遮断弁取付用フランジ穴１１の円周方向に沿って凹設するパッキン溝１６ａと遮断弁取付用ねじ穴１２の円周方向に沿って凹設するパッキン溝１６ｂを連続して一体に形成してパッキン溝１６を形成することにより遮断弁取付用フランジ穴１１の内径を拡大する。【選択図】図４
2018205130.tif 000002
【特許請求の範囲】
【請求項１】
ガスメータ本体の下ケースに形成した計量室内に一対の計量膜を組み付けると共に、前記ガスメータ本体の上ケースに形成した計量室内に流入するガスの入側の流入経路とこの流入経路内に緊急時に作動するガスの遮断弁を組み付けてなる膜式ガスメータにおいて、
前記上ケースの上面に形成されたガスの流入口金から鉛直方向に形成された縦流路の下端に一部かかるように遮断弁取付空間を形成し、この遮断弁取付空間の前壁に遮断弁取付用フランジ穴を形成すると共にこの遮断弁取付用穴に対向する前記遮断弁取付空間の後壁に弁シートを形成すること、
前記遮断弁取付空間の前壁に前記遮断弁取付用フランジ穴の円周方向に沿ってパッキン溝を凹設し、このパッキン溝は前記遮断弁取付用フランジ穴の周囲に形成した遮断弁取付用ねじ穴の円周方向に沿って凹設したパッキン溝と連続して一体に形成されていると共に前記パッキン溝に弾性を有するパッキンを嵌着すること、
前記遮断弁取付用フランジ穴の円周方向に沿って凹設した前記パッキン溝の内側縁部に前記遮断弁取付用ねじ穴の円周方向に沿って凹設した前記パッキン溝に係る部分を除き側壁を突設すること、
を特徴とする膜式ガスメータ。
【発明の詳細な説明】
【技術分野】
【０００１】
本発明は、ダイキャストボディからなるガスメータ本体の下ケース内に計量室を形成し、上ケースにはこの上面に入側口金と出側口金を形成し、更に上ケース内であって、緊急時にガスの流れ（計量）を遮断する遮断弁をガスの流入経路内に取り付けた所謂膜式ガスメータに関し、更に詳しくは、前記入側口金と遮断弁間に形成されたガスの流入経路において、遮断弁取付用穴の内径を拡大して空間容積を大きくすることによりガスの流動抵抗（圧損）を可及的に低減できる膜式ガスメータに関する。
【背景技術】
【０００２】
従来の膜式ガスメータの場合、図６に示すように、ガスの流入口金１０１から鉛直方向に形成された縦流路１０２の下端に一部かかるように形成されている遮断弁取付空間１０３の前壁１０４に遮断弁取付用フランジ穴１０５が形成されている。
【０００３】
前記前壁１０４には前記遮断弁取付用フランジ穴１０５の円周方向に沿ってパッキン溝１０６が形成され、このパッキン溝１０６の内側縁部から側壁１０７が立設されていると共に前記パッキン溝１０６にはＯリングからなるパッキン１０８が嵌着されている。
【０００４】
また、前記前壁１０４には前記パッキン溝１０６の周囲に遮断弁取付用ねじ穴１０９が形成されており、遮断弁はこのねじ穴１０９にねじを締め込むことによりと遮断弁フランジ１１０を介して前壁１０４に取り付けられる。
【０００５】
このように、従来の遮断弁取付用穴は、Ｏリングからなるパッキンを使用することから穴の周囲に形成するパッキン溝の形状が限定されてしまい、遮断弁取付用ねじ穴に係る位置まではパッキン溝を形成することができないため、ガスの流動抵抗を低減することを目的としてその内径を拡大することができないという問題があった。
【０００６】
また、Ｏリングからなるパッキンは、その形状からパッキン溝内との摩擦抵抗力が小さいため、嵌着後にパッキン溝からずれ易いという問題があった。
【発明の概要】
【発明が解決しようとする課題】
【０００７】
本発明は、入側口金からのガス流入経路において、圧損を可及的に低減するために遮断弁取付用穴の内径を拡大した膜式ガスメータを提供することを目的とする。
【課題を解決するための手段】
【０００８】
上記目的を達成するため請求項１に記載の発明は、ガスメータ本体の下ケースに形成した計量室内に一対の計量膜を組み付けると共に、前記ガスメータ本体の上ケースに形成した計量室内に流入するガスの入側の流入経路とこの流入経路内に緊急時に作動するガスの遮断弁を組み付けてなる膜式ガスメータにおいて、前記上ケースの上面に形成されたガスの流入口金から鉛直方向に形成された縦流路の下端に一部かかるように遮断弁取付空間を形成し、この遮断弁取付空間の前壁に遮断弁取付用フランジ穴を形成すると共にこの遮断弁取付用穴に対向する前記遮断弁取付空間の後壁に弁シートを形成すること、前記遮断弁取付空間の前壁に前記遮断弁取付用フランジ穴の円周方向に沿ってパッキン溝を凹設し、このパッキン溝は前記遮断弁取付用フランジ穴の周囲に形成した遮断弁取付用ねじ穴の円周方向に沿って凹設したパッキン溝と連続して一体に形成されていると共に前記パッキン溝に弾性を有するパッキンを嵌着すること、前記遮断弁取付用フランジ穴の円周方向に沿って凹設した前記パッキン溝の内側縁部に前記遮断弁取付用ねじ穴の円周方向に沿って凹設した前記パッキン溝に係る部分を除き側壁を突設することを特徴とするものである。
【発明の効果】
【０００９】
本発明は、上記膜式ガスメータにおいて、遮断弁取付用フランジ穴の円周方向に沿って凹設するパッキン溝と遮断弁取付用のねじ穴の円周方向に沿って凹設するパッキン溝を連続して一体に形成し、遮断弁取付用フランジ穴の内径を拡大することにより、入側ガス流入経路の空間容積を大きくしてガスの圧損を低減することができる。
【００１０】
また、遮断弁取付用フランジ穴の円周方向に沿って凹設するパッキン溝と遮断弁取付用のねじ穴の円周方向に沿って凹設するパッキン溝とが一体となって形成されているため、パッキンがパッキン溝に接する面積が大きく、パッキンの形状も複雑となり、延いては摩擦抵抗も大きくなることから、従来のＯリングからなるパッキンを用いたものに比して嵌着力が大きくなり、パッキンがパッキン溝からずれることを防止することができる。
【図面の簡単な説明】
【００１１】
【図１】膜式ガスメータの外観の説明図である。
【図２】Ａ−Ａ’断面図である。
【図３】入側流入経路と遮断弁の取付空間を示す説明図である。
【図４】遮断弁取付用フランジ穴周囲に形成されたパッキン溝とねじ穴と側壁を示す説明図である。
【図５】（ａ）パッキンの説明図である。（ｂ）はパッキン溝にパッキンを嵌着した状態を示す説明図である。（ｃ）はパッキン溝にパッキンを嵌着した状態の遮断弁取付用のねじ穴を示す断面図である。（ｄ）は遮断弁を取り付けた状態を示す説明図である。
【図６】は従来の遮断弁取付用フランジ穴周囲に形成されたパッキン溝等を示す説明図である。
【発明を実施するための形態】
【００１２】
図１乃至図５に基づいて本発明の実施例を詳細に説明する。
【００１３】
図１において、１はガスメータ本体であって、このガスメータ本体１は内部に計量室を形成し、この計量室内に計量膜を組み付けた下ケース２と、内部に機械室及び計測回路等を組み付けた上ケース３からなる。
【００１４】
また、上ケース３内には、入側口金４から入ったガスが遮断弁１４に至る流入経路６と計量室から出たガスが出側口金５に至るガス流出路７が形成されている。
【００１５】
流入経路６について説明すると、入側口金４の下方には、鉛直方向に縦流路８が形成されていると共にこの縦流路８の下端に一部かかるように遮断弁取付用空間９が形成されている。
【００１６】
前記遮断弁取付空間９の前壁１０には遮断弁取付用フランジ穴１１と遮断弁取付用ねじ穴１２が形成されていると共にこの遮断弁取付用フランジ穴１１に対向する遮断弁取付空間９の後壁１３に遮断弁１４の弁１４ａが密着する弁シート１５が形成されている。
【００１７】
図４〜図７に示すように、前記前壁１０には前記遮断弁取付用フランジ穴１１の円周方向に沿って凹設されたパッキン溝１６ａと遮断弁取付用ねじ穴１２の円周方向に沿って凹設されたパッキン溝１６ｂが一体となったパッキン溝１６が形成されており、このパッキン溝１６にパッキン１７が嵌着される。
【００１８】
１８は側壁であり、この側壁１８は前記パッキン溝１６ｂに係る部分を除いて前記パッキン溝１６ａの内側縁部から突設されている。
【００１９】
遮断弁１４はねじ１９を前記遮断弁取付用ねじ穴１２に締め込むことにより前記前壁１０に取り付けられると共に地震センサー（図示せず）あるいはガス圧センサー（図示せず）からの信号で作動し、遮断弁１４の弁１４ａが弁シート１５に密着して計量室に至るガスを止める。
【００２０】
２０は遮断弁のリセットボタン、２１は表示窓である。
【００２１】
以上のとおり、本発明は、遮断弁取付用ねじ穴１２に係る位置にパッキン溝１６を形成することにより、遮断弁取付用フランジ穴１１の内径を拡大して遮断弁取付空間９の空間容積を大きくすることができるため、入側口金４から入り流入経路６を経由して計量室へ至るガスの圧損を従来に比較して低減することができる。
【００２２】
また、遮断弁取付用フランジ穴の円周方向に沿って凹設するパッキン溝と遮断弁取付用のねじ穴の円周方向に沿って凹設するパッキン溝とが一体となって形成されているため、嵌着したパッキンがパッキン溝からずれにくくなる。
【符号の説明】
【００２３】
１  ガスメータ
２  下ケース
３  上ケース
４  入側口金
５  出側口金
６  ガスの流入経路
７  ガスの流出路
８  縦流路
９  遮断弁取付用空間
１０  前壁
１１  遮断弁取付用フランジ穴
１２  遮断弁取付用ねじ穴
１３  後壁
１４  遮断弁
１４ａ  弁
１５  弁シート
１６  パッキン溝
１６ａ  パッキン溝
１６ｂ  パッキン溝
１７  パッキン
１８  側壁
１９  ねじ
２０  リセットボタン
２１  表示窓
【図１】
2018205130.tif 000003
【図２】
2018205130.tif 000004
【図３】
2018205130.tif 000005
【図４】
2018205130.tif 000006
【図５】
2018205130.tif 000007
【図６】
2018205130.tif 000008